(57)【特許請求の範囲】
【請求項１】
自動販売機の庫内に配置された複数のファンモータを制御する自動販売機ファンモータ制御装置であって、各ファンモータ内に通信機能を有するマイコンと、自動販売機においてファンモータの制御を分担する制御部とを設け、複数のマイコンと制御部とは並列配線にて接続され、複数のマイコンは、制御部から通信により指示を受けて、それぞれのファンモータの運転制御を行うことを特徴とする自動販売機ファンモータ制御装置。
【請求項２】
前記制御部は、各ファンモータ内のマイコンに対して、回転数を多段階に指令することにより、各ファンモータの回転数を多段階制御できるようにしたことを特徴とする請求項１記載の自動販売機ファンモータ制御装置。
【請求項３】
各ファンモータ内のマイコンは、各ファンモータ内の状態を検知して、前記制御部に通知するようにしたことを特徴とする請求項１又は２記載の自動販売機ファンモータ制御装置。
【発明の詳細な説明】
【０００１】
【発明の属する技術分野】
本発明は、自動販売機の商品収納コラムの庫内において、冷気や暖気を循環させるためのファンモータの運転を制御する自動販売機ファンモータ制御装置に関するものである。
【０００２】
【従来の技術】
図２は、従来の自動販売機ファンモータ制御装置の回路図である。図２において、１１〜１４はファンモータ、１５はモータ制御ＩＣ、１６はマイコン、１７は制御基板である。
【０００３】
マイコン１６は、自動販売機内において冷却ユニット，加温用ヒータ，ファンモータ等の制御を行う冷熱制御部を構成している。ファンモータ１１〜１４は、自動販売機内で区画されている複数の庫内にそれぞれ設けられている。各ファンモータ１１〜１４は、内部にモータ制御ＩＣ１５を具えていて、マイコン１６から送られる制御信号に基づいて、モータ制御ＩＣ１５がモータコイルの電流を切り換えながらファンモータの運転制御が行われる。
【０００４】
各ファンモータ１１〜１４の駆動電圧は２４Ｖで、そのオンオフは、トランジスタＴｒ11〜Ｔｒ14が行う。また、各ファンモータ１１〜１４のモータ制御ＩＣ１５には、常時８Ｖの直流電源が供給されている。ファンモータ１１〜１４は、モータの回転数に比例した回転パルスＦＧを出力し、マイコン１６は、その回転パルスＦＧに基づいて、トランジスタＴｒ11〜Ｔｒ14をオンオフさせて、ＰＷＭ（パルス幅変調）制御によりファンモータ１１〜１４の回転数が所定値になるように制御する。また、正逆転信号ＲＯＴをＨ（ハイ）にするとモータが正回転し、Ｌ（ロー）にすると逆回転する。
【０００５】
【発明が解決しようとする課題】
しかしながら、上記従来の自動販売機ファンモータ制御装置では、冷熱制御部のマイコン１６は、各ファンモータ１１〜１４からの回転パルスＦＧを常に演算し、各トランジスタＴｒ11〜Ｔｒ14をオンオフ制御する必要があって、演算の負担が大きすぎるという問題点があった。また、各ファンモータ１１〜１４に接続される配線の本数が５本で、マイコン１６が搭載されている制御基板１７からの配線本数は１４本にもなって、配線が複雑になるという問題点もあった。
【０００６】
本発明は、そのような問題点を解決し、冷熱制御部のマイコンの負担を軽減すると共に、制御基板からの配線本数を削減できるようにすることを目的とするものである。
【０００７】
【課題を解決するための手段】
前記課題を解決するため、請求項１に記載の自動販売機ファンモータ制御装置は、自動販売機の庫内に配置された複数のファンモータを制御する自動販売機ファンモータ制御装置であって、各ファンモータ内に通信機能を有するマイコンと、自動販売機においてファンモータの制御を分担する制御部とを設け、複数のマイコンと制御部とは並列配線にて接続され、複数のマイコンは、制御部から通信により指示を受けて、それぞれのファンモータの運転制御を行うことを特徴とする。このようにすると、冷熱制御部のマイコンの負担を軽減すると共に、制御基板からの配線本数を削減できる。
【０００８】
そして、請求項２に記載の自動販売機ファンモータ制御装置は、前記制御部は、各ファンモータ内のマイコンに対して、回転数を多段階に指令することにより、各ファンモータの回転数を多段階制御できるようにしたことを特徴とする。このようにすると、ファンの風量を多段階に調整できて、庫内を最適な状態に維持できるようになる。
【０００９】
また、請求項３に記載の自動販売機ファンモータ制御装置は、各ファンモータ内のマイコンは、各ファンモータ内の状態を検知して、前記制御部に通知するようにしたことを特徴とする。このようにすると、より高度な機能展開が可能になる。
【００１０】
【発明の実施の形態】
以下、本発明の実施の形態を図面に基づいて詳細に説明する。
図１は、本発明の自動販売機ファンモータ制御装置の回路図である。図１において、１〜４はファンモータで、自動販売機内で区画されている複数の庫内にそれぞれ設けられている。５はファンモータ１を個別に制御するマイコンであり、図示はしないが、ファンモータ２〜４にも同様なマイコンが設けられている。６は自動販売機制御装置の内の端末制御部の一つであり、冷却ユニット，加温用ヒータ，ファンモータ等の制御を行う冷熱制御部を構成するマイコン、７はマイコン６を搭載する制御基板である。
【００１１】
各ファンモータのマイコン５は、冷熱制御部のマイコン６から送られる制御信号ＳＩＧに基づいて、トランジスタＴｒ1 ，Ｔｒ2 ，Ｔｒ3 のオンオフを切り換えることによりファンモータの運転制御を行う。各ファンモータ１〜４の駆動電圧は２４Ｖで、制御基板７から供給される。また、各ファンモータ１〜４のマイコン５には、常時５Ｖの直流電源が供給される。
【００１２】
冷熱制御部のマイコン６は、通信ラインＳＩＧ，ＣＯＮＴを使って各ファンモータ１〜４に搭載されているマイコン５と通信し合い、指定回転数，正逆転，オンオフ等の命令を伝える。各ファンモータ１〜４に搭載されているマイコン５は、その命令を受けてそれを実行する。なお、指定回転数は、多段階に変更できるようにして、ファンの風量を多段階に調整できるようにしている。また、ファンモータ１〜４の内部温度，モータ電流，モータ回転数等を検知し、それをマイコン６に通知する。マイコン６は、ファンモータ１〜４の故障検知等、より高度な機能展開が可能になる。
【００１３】
このように、各ファンモータ１〜４にマイコン５を搭載することで、煩雑なモータ回転数の制御等は個々のマイコンで行い、冷熱制御部のマイコン６は、通信ラインを使って実行命令を通知するだけで済み、演算負荷量が大幅に軽減される。また、配線が全て５本の並列配線となって、マイコン６が搭載されている制御基板７からの配線本数は５本だけでよくなると共に、配線数を削減できる。
【００１４】
【発明の効果】
本発明は、以上説明したように構成されているので、次に記載するような効果を奏する。
すなわち、請求項１に記載の自動販売機ファンモータ制御装置は、各ファンモータ内に通信機能を有するマイコンを設け、各ファンモータ内に通信機能を有するマイコンと、自動販売機においてファンモータの制御を分担する制御部とを設け、複数のマイコンと制御部とは並列配線にて接続され、複数のマイコンは、制御部から通信により指示を受けて、それぞれのファンモータの運転制御を行うようにした。その結果、冷熱制御部のマイコンの負担を軽減すると共に、制御基板からの配線本数を削減できる。
【００１５】
そして、請求項２に記載の自動販売機ファンモータ制御装置は、前記制御部は、各ファンモータ内のマイコンに対して、回転数を多段階に指令することにより、各ファンモータの回転数を多段階制御できるようにしたので、ファンの風量を多段階に調整できて、庫内を最適な状態に維持できるようになる。
【００１６】
また、請求項３に記載の自動販売機ファンモータ制御装置は、各ファンモータ内のマイコンは、各ファンモータ内の状態を検知して、前記制御部に通知するようにしたので、より高度な機能展開が可能になる。
【図面の簡単な説明】
【図１】本発明の自動販売機ファンモータ制御装置の回路図である。
【図２】従来の自動販売機ファンモータ制御装置の回路図である。
【符号の説明】
１〜４…ファンモータ
７…制御基板
１１〜１４…ファンモータ
１５…モータ制御ＩＣ
【図１】
0003758415.tif 000002
【図２】
0003758415.tif 000003